(57)【要約】【課題】環形蛍光ランプの代替として用いることができるＬＥＤランプをより低いコストで提供する。【解決手段】本発明にかかるＬＥＤランプＡは、基板１０と、基板１０の表面に搭載された複数のＬＥＤモジュール３０と、を備えており、基板１０は、円弧状に形成された複数の湾曲基板１１を組み合わせて形成された環状基板であることを特徴とする。【選択図】  図１
2009272263.tif 000002
【特許請求の範囲】
【請求項１】
基板と、
上記基板の表面に搭載された複数のＬＥＤモジュールと、
を備えたＬＥＤランプであって、
上記基板は、円弧状に形成された複数の湾曲基板を組み合わせて形成された環状基板であることを特徴とする、ＬＥＤランプ。
【請求項２】
上記複数の湾曲基板が同形である、請求項１に記載のＬＥＤランプ。
【請求項３】
上記複数のＬＥＤモジュールが上記環状基板の周方向に沿って一定の間隔で配置されており、上記各湾曲基板の上記周方向における端部から上記一定の間隔の半分の長さだけ離れた位置に、上記複数のＬＥＤモジュールの１個が配置されている、請求項２に記載のＬＥＤランプ。
【請求項４】
上記環状基板の裏面に放熱部材が取り付けられており、上記放熱部材は、上記環状基板の径方向に沿って平行に並ぶ複数の板部を有している、請求項１ないし３のいずれかに記載のＬＥＤランプ。
【発明の詳細な説明】
【技術分野】
【０００１】
本発明は、発光ダイオード（以下、ＬＥＤ）を光源とし、蛍光灯の代替として用いることができるＬＥＤランプに関する。
【０００２】
一般用蛍光灯照明器具に用いられる蛍光ランプには、寿命が短い、水銀や鉛などの有害物質を含む、低温動作に弱い、虫が寄りやすいといった問題点があり、ＬＥＤを光源とするＬＥＤランプが考案されている。なお、一般用蛍光灯照明器具とは、主に屋内の一般照明に広く用いられる照明器具であり、たとえば日本国内においては、商用１００Ｖまたは２００Ｖ電源を用い、ＪＩＳ  Ｃ７６１７に定められた直管形蛍光ランプまたはＪＩＳ  Ｃ７６１８に定められた環形蛍光ランプが取り付けられる照明器具をいう。
【０００３】
図３は、従来のＬＥＤランプの一例を断面図で示している（たとえば特許文献１参照）。同図に示されたＬＥＤランプＸは、長矩形状の基板９１と、基板９１上に搭載された複数のＬＥＤ９２と、基板９１を収容する管９３と、端子９４と、を備えている。基板９１の表面には、複数のＬＥＤ９２および端子９４に接続される図示しない配線パターンと、上記配線パターンを覆って保護する樹脂製の保護層と、が形成されている。このＬＥＤランプＸは、端子９４を一般用蛍光灯照明器具のソケットの差込口に嵌合させることにより、複数のＬＥＤ９２を発光させることができるように構成されている。このＬＥＤランプＸは、直管形蛍光ランプの代替として用いることができる。
【０００４】
一方、環形蛍光ランプの代替として用いることのできる環形のＬＥＤランプを製造するには環状基板を用意する必要がある。しかしながら、環状基板の形成は、たとえば円形基板の中央部を切り抜くことにより行われるため、材料の無駄が多く、製造コストがかさむなどの問題があった。このため、環形蛍光ランプの代替として用いることができる実用的なＬＥＤランプの製造は困難であった。
【０００５】
【特許文献１】実開平６−５４１０３号公報
【発明の開示】
【発明が解決しようとする課題】
【０００６】
本発明は、上記した事情のもとで考え出されたものであって、環形蛍光ランプの代替として用いることができるＬＥＤランプをより低いコストで提供することをその課題としている。
【課題を解決するための手段】
【０００７】
本発明によって提供されるＬＥＤランプは、基板と、上記基板の表面に搭載された複数のＬＥＤモジュールと、を備えたＬＥＤランプであって、上記基板は、円弧状に形成された複数の湾曲基板を組み合わせて形成された環状基板であることを特徴とする。
【０００８】
このような構成によれば、環状基板が複数の湾曲基板を組み合わせて形成されているため、環状の単体基板を用いる場合に比べて基板材料の無駄を抑えることができる。このため、上記ＬＥＤランプは、比較的低いコストで製造することが可能であり、環形蛍光ランプの代替として用いることができる。
【０００９】
本発明の好ましい実施の形態においては、上記複数の湾曲基板が同形である。このような構成によれば、１つの型の湾曲基板を製造することによって上記環状基板を製造することができ、上記ＬＥＤランプを効率よく製造することができる。
【００１０】
本発明の好ましい実施の形態においては、上記複数のＬＥＤモジュールが上記環状基板の周方向に沿って一定の間隔で配置されており、上記各湾曲基板の上記周方向における端部から上記一定の間隔の半分の長さだけ離れた位置に、上記複数のＬＥＤモジュールの１個が配置されている。このような構造によれば、上記複数のＬＥＤモジュールが、上記環状基板の周方向に沿って均等に配置されるため、むらのない照明を提供することができる。
【００１１】
本発明の好ましい実施の形態においては、上記環状基板の裏面に放熱部材が取り付けられており、上記放熱部材は、上記環状基板の径方向に沿って平行に並ぶ複数の板部を有している。このような構成によれば、上記放熱部材によって上記ＬＥＤモジュールが発した熱が外気に放出されるため、上記ＬＥＤランプは温度が上がりすぎることがなく、安定した照明を提供することができる。
【００１２】
本発明のその他の特徴および利点は、添付図面を参照して以下に行う詳細な説明によって、より明らかとなろう。
【発明を実施するための最良の形態】
【００１３】
以下、本発明の好ましい実施の形態につき、図面を参照して具体的に説明する。
【００１４】
図１は、本発明にかかるＬＥＤランプの一例を平面図で示しており、図２には図１のII-II線に沿う断面図を示している。図１および図２に示すＬＥＤランプＡは、環状基板１０、放熱部材２０、ＬＥＤモジュール３０、口金４０、および、拡散板５０を備えている。なお、図１では、拡散板５０を省略している。このＬＥＤランプＡは、たとえば蛍光灯の代替として、一般用蛍光灯照明器具に取り付けられて用いられる。
【００１５】
環状基板１０は、４個の同形の湾曲基板１１を周方向に沿って並べて組み合わせて環状としたものである。湾曲基板１１は、円弧状に形成されている。湾曲基板１１の周方向における一方の端部を通る直線Ｌ１と、他方の端部を通る直線Ｌ２とが成す角ｔは、たとえば８５．８°となっている。湾曲基板１１はアルミ基板であり、表面に積層された絶縁層１２と、絶縁層１２の上に積層された配線パターン１３，１４とを備えている。
【００１６】
放熱部材２０は、たとえばＡｌによって平面視円環状に形成されており、拡散板５０が接着される接着面２１、環状基板１０を収容する凹嵌部２２、および、表面積を増加させるための複数の板部２３を備えている。複数の板部２３は、互いに平行となるように形成されており、放熱部材２０の径方向に沿って並んでいる。
【００１７】
ＬＥＤモジュール３０は、ＬＥＤ３１、互いに離間する金属製のリード３２，３３、ワイヤ３４、および、樹脂パッケージ３５を備えて構成されている。ＬＥＤモジュール３０は、各湾曲基板１１の周方向に沿って一定の間隔ｐで並ぶように複数個配置されている。各湾曲基板１１に搭載されたＬＥＤモジュール３０のうち、周方向における両端に位置するＬＥＤモジュール３０は、各湾曲基板１１の周方向の両端から周方向に沿って、ＬＥＤモジュール３０同士の間隔の半分の長さｐ／２だけ離れた位置に設けられている。このような配置によると、４つの湾曲基板１１を組み合わせた環状基板１０に搭載される複数のＬＥＤモジュール３０は、環状基板１０の周方向に沿って等間隔に並んでいる。
【００１８】
ＬＥＤ３１は、たとえばｎ型半導体層およびｐ型半導体層と、これらに挟まれた活性層とが積層された構造とされている。ＬＥＤ３１は、たとえばＧａＮ系半導体からなる場合、青色光を発光可能である。ＬＥＤ３１は、リード３２にダイボンディングされている。さらに、ＬＥＤ３１の上面は、ワイヤ３４を介してリード３３に接続されている。リード３２は配線パターン１３に接続固定されており、リード３３は配線パターン１４に接続固定されている。
【００１９】
樹脂パッケージ３５は、ＬＥＤ３１およびワイヤ３４を保護するためのものである。樹脂パッケージ３５は、ＬＥＤ３１からの光に対して透光性を有するたとえばシリコン樹脂を用いて形成されている。また、樹脂パッケージ３５に、青色光によって励起されることにより黄色光を発する蛍光材料を混入すれば、ＬＥＤモジュール３０から白色光を出射させることが可能となる。
【００２０】
口金４０は、環状基板１０の両端同士を結ぶように形成されており、一対の端子４１を保持している。一対の端子４１は、それぞれ２本のピンからなり、配線パターン１３または配線パターン１４のいずれかと導通している。一対の端子４１を一般用蛍光灯照明器具のソケットの差込口に嵌合させることにより、複数のＬＥＤモジュール３０に電力を供給し、ＬＥＤ３１を発光させることができる。
【００２１】
拡散板５０は、光拡散材料によって平面視円環状に形成されており、ＬＥＤモジュール３０から出射された光を拡散させるように設置されている。本実施形態では、拡散板５０の断面は半円環状となっている。
【００２２】
次に、ＬＥＤランプＡの作用について説明する。
【００２３】
本実施形態によれば、環状基板１０が４つの湾曲基板１１を組み合わせて構成されているため、ＬＥＤランプＡは、環状の単体基板を用いる場合に比べて基板材料の無駄を抑制することができる。このため、ＬＥＤランプＡは、比較的低いコストで製造可能であり、環形蛍光ランプの代替として用いることができる。蛍光ランプのかわりにＬＥＤランプＡを用いると、メンテナンスの手間や消費電力を減らすことが可能となる。
【００２４】
さらに、本実施形態によれば、環状基板１０を構成する４つの湾曲基板１１は同形であるため、１種類の湾曲基板１１を製造することによって環状基板１０を製造することができる。このため、環状基板１０の製造コストをより抑えることができる。
【００２５】
さらに、本実施形態によれば、環状基板１０の周方向に沿ってＬＥＤモジュール３０が等間隔に配置されているため、ＬＥＤランプＡから出射される光にむらが生じにくくなっている。
【００２６】
さらに、本実施形態によれば、ＬＥＤランプＡは、放熱部材２０を有しており、複数のＬＥＤモジュール３０から生じる熱を好ましく外気に放出することができる。このため、ＬＥＤランプＡは、温度が上昇して動作不良を起こすとがなく、安定して照明を提供することができる。
【００２７】
本発明にかかるＬＥＤランプは、上述した実施形態に限定されるものではない。本発明にかかるＬＥＤランプの各部の具体的な構成は、種々に設計変更自在である。上記実施形態では、拡散板５０の断面が半円環状であるが、拡散板５０の断面の形状は、円環の一部が欠けた形状であれば、どのようなものであってもよい。
【００２８】
また、上記実施形態においては、環状基板１０が４つの湾曲基板１１から成っているが、環状基板を構成する湾曲基板の数は自在に設定可能である。
【図面の簡単な説明】
【００２９】
【図１】本発明にかかるＬＥＤランプの一例を示す平面図である。
【図２】図１のII-II線に沿う断面図である。
【図３】従来のＬＥＤランプの一例を示す断面図である。
【符号の説明】
【００３０】
Ａ          ＬＥＤランプ
１０        環状基板
１１        湾曲基板
１２        絶縁層
１３，１４  配線パターン
２０        放熱部材
２１        接着面
２２        凹嵌部
２３        板部
３０        ＬＥＤモジュール
３１        ＬＥＤ
３２，３３  リード
３４        ワイヤ
３５        樹脂パッケージ
４０        口金
４１        端子
５０        拡散板
【図１】
2009272263.tif 000003
【図２】
2009272263.tif 000004
【図３】
2009272263.tif 000005